(57)【要約】【課題】  電気接続箱において、結露による水滴や洗車時の水滴が上方から電気接続箱に落ちてきた場合、電気接続箱に落ちた水滴を適切に下方に逃がすことができるように構成する。【解決手段】  本体１の上部に所定の傾斜方向に傾斜する傾斜面２を備えて、第１及び第２縦壁部３，４を傾斜面２の最低位置側の端部に沿って上方に突出するように並べる。第１及び第２縦壁部３，４が傾斜方向で位置が異なりながら互いに平行になるように、第１縦壁部３を傾斜方向の上方側に配置し、第２縦壁部４を傾斜方向の下方側に配置して、第１及び第２縦壁部３，４の間に切欠き部６を備える。第１縦壁部３と平行な第１縦面部９を切欠き部６から下方に延出し、第２縦壁部４と交差する第２縦面部１０を切欠き部６から下方に延出する。【選択図】        図１
2006149157.tif 000002
【特許請求の範囲】
【請求項１】
本体の上部に所定の傾斜方向に傾斜する傾斜面を備えて、第１縦壁部及び第２縦壁部を前記傾斜面の最低位置側の端部に沿って上方に突出するように並べて備え、
前記第１及び第２縦壁部が傾斜方向で位置が異なりながら互いに平行になるように、前記第１縦壁部を傾斜方向の上方側に配置し、前記第２縦壁部を傾斜方向の下方側に配置して、前記第１及び第２縦壁部の間に切欠き部を備えると共に、
前記第１縦壁部と平行な第１縦面部を切欠き部から下方に延出し、前記第２縦壁部と交差する第２縦面部を切欠き部から下方に延出してある電気接続箱。
【請求項２】
本体の上部に所定の傾斜方向に傾斜する傾斜面を備えて、第１縦壁部及び第２縦壁部を前記傾斜面の低側の角部に互いに交差しながら上方に突出するように備え、前記第１及び第２縦壁部の間に切欠き部を備えると共に、
前記第１縦壁部と交差する第１縦面部を切欠き部から下方に延出し、前記第２縦壁部と交差する第２縦面部を切欠き部から下方に延出してある電気接続箱。
【発明の詳細な説明】
【技術分野】
【０００１】
本発明は、乗用車や商用車、バスやトラック等の車両において使用される電気接続箱の構造に関する。
【背景技術】
【０００２】
車両において使用される電気接続箱では、一般に水滴が内部に入らないような構造を備える必要があるので、電気接続箱に関して各種の防水構造が提案されている（特許文献１参照）。
【０００３】
【特許文献１】実開平７−４２９８９号公報
【発明の開示】
【発明が解決しようとする課題】
【０００４】
車両において使用される電気接続箱では、電気接続箱が配置される位置により、結露による水滴や洗車時の水滴が上方から電気接続箱の上部に落ちてくることがある。
本発明は電気接続箱において、結露による水滴や洗車時の水滴が上方から電気接続箱に落ちてきた場合、電気接続箱に落ちた水滴を適切に下方に逃がすことができるように構成することを目的としている。
【課題を解決するための手段】
【０００５】
［Ｉ］
（構成）
本発明の第１特徴は、電気接続箱において次のように構成することにある。
本体の上部に所定の傾斜方向に傾斜する傾斜面を備えて、第１縦壁部及び第２縦壁部を傾斜面の最低位置側の端部に沿って上方に突出するように並べて備える。第１及び第２縦壁部が傾斜方向で位置が異なりながら互いに平行になるように、第１縦壁部を傾斜方向の上方側に配置し、第２縦壁部を傾斜方向の下方側に配置して、第１及び第２縦壁部の間に切欠き部を備える。第１縦壁部と平行な第１縦面部を切欠き部から下方に延出し、第２縦壁部と交差する第２縦面部を切欠き部から下方に延出する。
【０００６】
（作用）
本発明の第１特徴によると、例えば図１及び図２に示すように、結露による水滴や洗車時の水滴が上方から電気接続箱に落ちてきて、水滴が傾斜面２に落ちると、水滴が傾斜面２に沿って第１及び第２縦壁部３，４に向かって流れ、切欠き部６に向かって流れる。第１及び第２縦壁部３，４に沿って流れた水滴が切欠き部６に達すると、水滴は切欠き部６から外方に出て第１及び第２縦面部９，１０に流れる。
この場合、例えば図６に示すように第１及び第２縦面部９，１０が互いに交差した状態となっているので、水滴Ｓの表面張力により水滴Ｓが第１及び第２縦面部９，１０に亘って付着した状態を維持しながら、第１及び第２縦面部９，１０に沿って下方に流れていくのであり、水滴Ｓが第１及び第２縦面部９，１０から出ていくような状態は生じ難い。
【０００７】
本発明の第１特徴によると、例えば図１，２，３に示すように、第１及び第２縦壁部３，４の位置がくい違った状態となっており、第１及び第２縦面部９，１０が互いに交差した状態となっている。これにより、電気接続箱を雄型及び雌型によって成型する場合、切欠き部６の付近に雄型及び雌型の合わせ面を位置させると、雄型及び雌型の抜き方向を図３の紙面上方及び紙面下方に設定することによって、この雄型及び雌型により第１及び第２縦壁部３，４や第１及び第２縦面部９，１０、切欠き部６等を一度に成型することができる。
【０００８】
（発明の効果）
本発明の第１特徴によると、電気接続箱において、結露による水滴や洗車時の水滴が上方から電気接続箱に落ちてきた場合、第１及び第２縦壁部、切欠き部、第１及び第２縦面部により、水滴を適切に下方に逃がすことができるようになり、電気接続箱に備えられたコネクタやハーネス、ヒューズに水滴が付着するような状態を少なくすることができて、水滴が付着することによる故障等を少なくすることができた。
【０００９】
本発明の第１特徴によると、第１及び第２縦壁部の位置をくい違った状態に構成し、第１及び第２縦面部を互いに交差した状態に構成することによって、雄型及び雌型により第１及び第２縦壁部や第１及び第２縦面部、切欠き部等を一度に成型することができるようになって、電気接続箱の生産性の向上及び生産コストの低減を図ることができた。
【００１０】
［ＩＩ］
（構成）
本発明の第２特徴は、電気接続箱において次のように構成することにある。
本体の上部に所定の傾斜方向に傾斜する傾斜面を備えて、第１縦壁部及び第２縦壁部を傾斜面の低側の角部に互いに交差しながら上方に突出するように備える。第１及び第２縦壁部の間に切欠き部を備える。第１縦壁部と交差する第１縦面部を切欠き部から下方に延出し、第２縦壁部と交差する第２縦面部を切欠き部から下方に延出する。
【００１１】
（作用）
本発明の第２特徴によると、例えば図７及び図８に示すように、結露による水滴Ｓや洗車時の水滴Ｓが上方から電気接続箱に落ちてきて、水滴Ｓが傾斜面２２に落ちると、水滴Ｓが傾斜面２２に沿って第１及び第２縦壁部２３，２４に向かって流れ、切欠き部２５に向かって流れる。水滴Ｓが切欠き部２５に達すると、水滴Ｓは切欠き部２５から外方に出て第１及び第２縦面部２６，２７に流れる。
この場合、例えば図７及び図８に示すように、第１及び第２縦面部２６，２７が互いに交差した状態となっているので、水滴Ｓの表面張力により水滴Ｓが第１及び第２縦面部２６，２７に亘って付着した状態を維持しながら、第１及び第２縦面部２６，２７に沿って下方に流れていくのであり、水滴Ｓが第１及び第２縦面部２６，２７から出ていくような状態は生じ難い。
【００１２】
本発明の第２特徴によると、例えば図７及び図８に示すように、第１及び第２縦壁部２３，２４が互いに交差した状態となっており、第１及び第２縦面部２６，２７が互いに交差した状態となっている。これによって、電気接続箱を雄型及び雌型によって成型する場合、切欠き部２５の付近に雄型及び雌型の合わせ面を位置させると、雄型及び雌型の抜き方向を図７の紙面上方及び紙面下方に設定することによって、この雄型及び雌型により第１及び第２縦壁部２３，２４や第１及び第２縦面部２６，２７、切欠き部２５等を一度に成型することができる。
【００１３】
（発明の効果）
本発明の第２特徴によると、電気接続箱において、結露による水滴や洗車時の水滴が上方から電気接続箱に落ちてきた場合、第１及び第２縦壁部、切欠き部、第１及び第２縦面部により、水滴を適切に下方に逃がすことができるようになり、電気接続箱に備えられたコネクタやハーネス、ヒューズに水滴が付着するような状態を少なくすることができて、水滴が付着することによる故障等を少なくすることができた。
【００１４】
本発明の第２特徴によると、第１及び第２縦壁部を互いに交差した状態に構成し、第１及び第２縦面部を互いに交差した状態に構成することによって、雄型及び雌型により第１及び第２縦壁部や第１及び第２縦面部、切欠き部等を一度に成型することができるようになって、電気接続箱の生産性の向上及び生産コストの低減を図ることができた。
【発明を実施するための最良の形態】
【００１５】
図１は乗用車や商用車、バスやトラック等の車両において使用される電気接続箱の全体を示しており、各種のコネクタ（図示せず）やハーネス（図示せず）、ヒューズ（図示せず）が電気接続箱に取り付けられる。
図１，２，３，４に示すように、所定の傾斜方向（図２及び図３の紙面左右方向）に傾斜する傾斜面２（図２及び図３の紙面左側が高く、図２及び図３の紙面右側が低い）が、本体１の上部に備えられており、傾斜面２の最低位置側（図２及び図３の紙面右側）の端部に、第１縦壁部３及び第２縦壁部４が傾斜面２の最低位置側の端部に沿って上方に突出するように並べて備えられている。
【００１６】
図１，２，３，４に示すように、第１及び第２縦壁部３，４が傾斜面２の傾斜方向で位置が異なりながら互いに平行になるように配置されており、第１縦壁部３が傾斜面２の傾斜方向の上方側（図２及び図３の紙面左側）に配置され、第２縦壁部４が傾斜面２の傾斜方向の下方側（図２及び図３の紙面右側）に配置されている。第１及び第２縦壁部３，４の間に、切欠き部６が備えられている。
【００１７】
図１，２，３，４に示すように、本体１から傾斜面２及び第１縦壁部３が図３の紙面上方に突出しており、傾斜面２の突出側の端部に沿って上方に突出するように第３縦壁部５が備えられている。傾斜面２の中央側（図２及び図３の紙面左方）及び切欠き部６に向けて傾斜する傾斜面７が、第１縦壁部３の内面に備えられており、傾斜面２の中央側（図２及び図３の紙面下方）に向けて傾斜する傾斜面８が、第３縦壁部５の内面に備えられている。
【００１８】
図１，２，３，４に示すように、第１縦壁部３と平行な第１縦面部９が、切欠き部６から下方に延出されて本体１の横側面に備えられ、第１縦面部９が本体１の下端まで延出されている。第２縦壁部４と交差する第２縦面部１０が、切欠き部６から下方に延出されて本体１の横側面に備えられ、第２縦面部１０が本体１の下端まで延出されており、第１及び第２縦面部９，１０が互いに交差した状態となっている。
以上の構造により、電気接続箱は雄型及び雌型により射出成型によって製造されるのであり、図３に示す切欠き部６の付近に雄型及び雌型の合わせ面が位置しており、雄型及び雌型の抜き方向が図３の紙面上方及び紙面下方に設定されている。
【００１９】
これにより、図２，５，６に示すように、結露による水滴Ｓや洗車時の水滴Ｓが上方から電気接続箱に落ちてきて、水滴Ｓが傾斜面２に落ちると、水滴Ｓが傾斜面２に沿って第１及び第２縦壁部３，４に向かって流れていき、第１及び第２縦壁部３，４に沿って切欠き部６に向かって流れる。多くの水滴Ｓが切欠き部６に達すると、水滴Ｓがまとまって切欠き部６から外方に出て第１及び第２縦面部９，１０に流れる。
【００２０】
この場合、図５及び図６に示すように、第１及び第２縦面部９，１０が互いに交差した状態となっているので、水滴Ｓの表面張力により水滴Ｓが第１及び第２縦面部９，１０に亘って凹面状に付着した状態を維持しながら、第１及び第２縦面部９，１０に沿って下方に流れていくのであり、水滴Ｓが第１及び第２縦面部９，１０から出ていくような状態は生じ難い。
【００２１】
［発明の実施の別形態］
前述の［発明を実施するための最良の形態］に代えて、図７及び図８に示すように構成してもよい。
図７及び図８に示すように、所定の傾斜方向（図７の紙面左右方向）に傾斜する傾斜面２２（図７の紙面左側が高く、図７の紙面右側が低い）が本体２１の上部に備えられており、傾斜面２２の最低位置側（図７の紙面右側）の端部に、第１縦壁部２３が傾斜面２２の最低位置側の端部に沿って上方に突出するように備えられている。傾斜面２２の図７の紙面上側の端部に沿って上方に突出するように第２縦壁部２４が備えられて、第１及び第２縦壁部２３，２４が交差した状態となっており、第１及び第２縦壁部２３，２４の間（本体２１及び傾斜面２２の低側の角部）に、切欠き部２５が備えられている。
【００２２】
図７及び図８に示すように、第１縦壁部２３と交差する第１縦面部２６が、切欠き部２５から下方に延出されて本体２１の横側面に備えられ、第１縦面部２６が本体２１の下端まで延出されている。第２縦壁部２４と交差する第２縦面部２７が、切欠き部２５から下方に延出されて本体２１の横側面に備えられ、第２縦面部２７が本体２１の下端まで延出されており、第１及び第２縦面部２６，２７が互いに交差した状態となっている。
以上の構造により、電気接続箱は雄型及び雌型により射出成型によって製造されるのであり、図７に示す切欠き部２５の付近に雄型及び雌型の合わせ面が位置しており、雄型及び雌型の抜き方向が図７の紙面上方及び紙面下方に設定されている。
【００２３】
これにより、図７及び図８に示すように、結露による水滴Ｓや洗車時の水滴Ｓが上方から電気接続箱に落ちてきて、水滴Ｓが傾斜面２２に落ちると、水滴Ｓが傾斜面２２に沿って第１縦壁部２３に向かって流れていき、第１縦壁部２３に沿って切欠き部２５に向かって流れる。水滴Ｓが第２縦壁部２４に沿って切欠き部２５に向かって流れる。多くの水滴Ｓが切欠き部２５に達すると、水滴Ｓがまとまって切欠き部２５から外方に出て第１及び第２縦面部２６，２７に流れる。
【００２４】
この場合、図７及び図８に示すように、第１及び第２縦面部２６，２７が互いに交差した状態となっているので、水滴Ｓの表面張力により水滴Ｓが第１及び第２縦面部２６，２７に亘って凹面状に付着した状態を維持しながら、第１及び第２縦面部２６，２７に沿って下方に流れていくのであり、水滴Ｓが第１及び第２縦面部２６，２７から出ていくような状態は生じ難い。
【図面の簡単な説明】
【００２５】
【図１】電気接続箱の全体斜視図
【図２】傾斜面、第１，２，３縦壁部及び切欠き部の付近の斜視図
【図３】傾斜面、第１，２，３縦壁部及び切欠き部の付近の平面図
【図４】（イ）図３におけるイ−イ方向から見た断面図、（ロ）図３におけるロ−ロ方向から見た断面図
【図５】第１，２，３縦壁部、切欠き部、第１及び第２縦面部の付近の斜視図
【図６】第１及び第２縦面部の付近の横断平面図
【図７】発明の実施の別形態における傾斜面、第１及び第２縦壁部、切欠き部の付近の平面図
【図８】発明の実施の別形態における第１及び第２縦壁部、切欠き部、第１及び第２縦面部の付近の斜視図
【符号の説明】
【００２６】
１，２１    本体
２，２２    傾斜面
３，２３    第１縦壁部
４，２４    第２縦壁部
６，２５    切欠き部
９，２６    第１縦面部
１０，２７  第２縦面部
【図１】
2006149157.tif 000003
【図２】
2006149157.tif 000004
【図３】
2006149157.tif 000005
【図４】
2006149157.tif 000006
【図５】
2006149157.tif 000007
【図６】
2006149157.tif 000008
【図７】
2006149157.tif 000009
【図８】
2006149157.tif 000010